【手続補正書】
【提出日】平成28年5月11日(2016.5.11)
【手続補正１】
【補正対象書類名】特許請求の範囲
【補正対象項目名】全文
【補正方法】変更
【補正の内容】
【特許請求の範囲】
【請求項１】
第１の内面にクリップを有する第１の壁と、
第２の内面にリテーナを有する、前記第２の内面は前記第１の壁の第１の内面に面し、前記第１の内面と第２の内面は内部空間を確定する、第２の壁とを有し、
前記クリップとリテーナは、それぞれ互いに係合され、位置合わせされ、方向付けられ、ロックラバーを有する複数の分離部材により同時に解放されるようになっており、
前記分離部材は各クリップ及びリテーナに対応し、一致して動くように構成された位置決め及び方向付けがなされ、
前記ロックラバーは、前記第１の壁が持ち上げられると、前記第２の壁を支持及び保持するように構成されている、
装置。
【請求項２】
前記複数のクリップ及びリテーナは、前記第１の壁と第２の壁との間の一連のロックを確定する、請求項１に記載の装置。
【請求項３】
前記第１の壁と第２の壁は、前記第１の壁と第２の壁とをロックする複数のクリップ及びリテーナを解放するため、分散された分離部材が入る、開口を有する、
請求項１に記載の装置。
【請求項４】
前記装置は電子装置であり、少なくとも１つの電子コンポーネントが含まれる、
請求項３に記載の装置。
【請求項５】
前記電子装置はセットトップボックスである、請求項４に記載の装置。
【請求項６】
前記第１の壁と第２の壁は、前記第１の壁と第２の壁とをロックする複数のクリップ及びリテーナを解放するため、分散された分離部材が入る、開口を有し、
前記開口は、プレートから伸びる複数の分離部材を有する解放治具がクリップ受け部材を同時に解放するように構成されている、
請求項１に記載の装置。
【請求項７】
第１の内面と前記第１の内面から伸びた複数の結合クリップとを有するトップと、
第２の内面と、前記第２の内面から伸びた複数のクリップ受け部材とを有するベースであって、前記クリップ受け部材は前記結合クリップと可逆的に係合し前記トップを前記ベースに固定し、前記ベースはさらにプレートから伸びた複数の分離部材を有する解放治具が前記クリップ受け部材を同時に解放できるように構成された少なくとも１つの開口を含む、ベースと、
前記分離部材は、各クリップ受け部材及び結合クリップと位置決めされたロックラバーを有し、前記分離部材は一致して動くように構成され、
前記ロックラバーは、前記分離部材が前記少なくとも１つの開口に挿入され、前記トップが持ち上げられたとき、前記ベースを支持及び保持するように構成された、
装置。
【請求項８】
前記結合クリップは受け部材に係合した支持部を有する、請求項７に記載の装置。
【請求項９】
前記支持部は前記トップから伸びる内向きに伸びる部分の先端部にある、
請求項８に記載の装置。
【請求項１０】
前記装置は、さらに、
前記クリップ受け部材は、前記第２の内面から伸びた内向きに伸びる部分と、前記内向きに伸びる部分の先端部にある肩とを含み、
前記結合クリップの部分は、前記肩に水平及び垂直にオーバーラップしている、
請求項９に記載の装置。
【請求項１１】
前記クリップ受け部材は、前記ベースから伸び、内向きに伸びる部分の先端部に肩を有し、
前記支持部は、前記支持部の各肩が前記クリップ受け部材の肩を通り過ぎ、各肩が互いにオーバーラップ及び接触し、または互いに近くにあることにより、前記クリップ受け部材にスナップされ、前記トップを前記ベースに固定する、
請求項９に記載の装置。
【請求項１２】
少なくとも１つの支持部は、前記肩の端から伸びる斜面を有し、前記斜面の少なくとも一部は前記肩と鋭角をなす、請求項１１に記載の装置。
【請求項１３】
セットトップボックスを設けるステップと、
分離部材を有する解放治具を設けるステップと、
前記分離部材をトップがベースに接続されたセットトップボックスのベースに位置決めして挿入する、前記トップの結合クリップの支持部が前記ベースのクリップ受け部材と係合して前記トップを前記ベースにロックするステップと、
前記解放治具にまっすぐな力をかけ、前記分離部材を前記ベースの開口中に入れるステップであって、各分離部材のロックラバーは前記ベースの開口に対して詰め込み、それにより前記ベースを前記解放治具に結合し、前記分離部材は、支持部に同時に接触し、前記結合クリップの支持部を水平方向に再度位置づけして、前記支持部を前記クリップ受け部材から解放するステップと、
前記トップを持ち上げ、前記ベースは前記解放治具上に留まるステップとを有する、
方法。
【請求項１４】
プレートと、
前記プレート上の分離部材とを有し、
前記分離部材はそれぞれ、
前記プレート上のベース部と、
先端部のエジェクタピンヘッドと、前記ベース部と前記エジェクタピンヘッドとの間にある中間コア部と、
前記中間コア部を囲むロックラバーとを有する、
解放治具。
【請求項１５】
前記ロックラバーは、前記プレートに対して垂直方向を向き、前記中間コア部を含む垂直スルーホールを有し、
前記ロックラバーは２つの対向する先細の変形可能なグリップ面を有する、
請求項１４に記載の解放治具。
【手続補正２】
【補正対象書類名】明細書
【補正対象項目名】００３８
【補正方法】変更
【補正の内容】
【００３８】
本発明の実施形態を説明したが、言うまでもなく、これらの実施形態の修正は、本発明の精神と範囲内にある。例えば、本発明のフィーチャは、このクリップを有するセットトップボックスは、カバーをフレームに保持するネジやボルトを有さないということである。幾つかの実施形態では、二以上の方法ステップが異なる順序で、または同時に生じてもよい。ここに開示した方法のバリエーションは、その他のものも含め、ここに説明した方法の説明を考慮して容易に明らかになるだろうし、本発明の範囲内にある。
上記の実施形態に対し付記する。
（付記１）  第１の内面にクリップを有する第１の壁と、
第２の内面にリテーナを有する、前記第２の内面は前記第１の壁の第１の内面に面し、前記第１の内面と第２の内面は内部空間を確定する、第２の壁とを有し、
前記クリップとリテーナは、それぞれ互いに係合され、位置合わせされ、方向付けられ、ロックラバーを有する複数の分離部材により同時に解放されるようになっており、
前記分離部材は各クリップ及びリテーナに対応し、一致して動くように構成された位置決め及び方向付けがなされ、
前記ロックラバーは、前記第１の壁が持ち上げられると、前記第２の壁を支持及び保持するように構成されている、
装置。
（付記２）  前記複数のクリップ及びリテーナは、前記第１の壁と第２の壁との間の一連のロックを確定する、付記１に記載の装置。
（付記３）  前記第１の壁と第２の壁は、前記第１の壁と第２の壁とをロックする複数のクリップ及びリテーナを解放するため、分散された分離部材が入る、開口を有する、
付記１に記載の装置。
（付記４）  前記装置は電子装置であり、少なくとも１つの電子コンポーネントが含まれる、
付記３に記載の装置。
（付記５）  前記電子装置はセットトップボックスである、付記４に記載の装置。
（付記６）  前記第１の壁と第２の壁は、前記第１の壁と第２の壁とをロックする複数のクリップ及びリテーナを解放するため、分散された分離部材が入る、開口を有し、
前記開口は、プレートから伸びる複数の分離部材を有する解放治具がクリップ受け部材を同時に解放するように構成されている、
付記１に記載の装置。
（付記７）  第１の内面と前記第１の内面から伸びた複数の結合クリップとを有するトップと、
第２の内面と、前記第２の内面から伸びた複数のクリップ受け部材とを有するベースであって、前記クリップ受け部材は前記結合クリップと可逆的に係合し前記トップを前記ベースに固定し、前記ベースはさらにプレートから伸びた複数の分離部材を有する解放治具が前記クリップ受け部材を同時に解放できるように構成された少なくとも１つの開口を含む、ベースと、
前記分離部材は、各クリップ受け部材及び結合クリップと位置決めされたロックラバーを有し、前記分離部材は一致して動くように構成され、
前記ロックラバーは、前記分離部材が前記少なくとも１つの開口に挿入され、前記トップが持ち上げられたとき、前記ベースを支持及び保持するように構成された、
装置。
（付記８）  前記結合クリップは受け部材に係合した支持部を有する、付記７に記載の装置。
（付記９）  前記支持部は前記トップから伸びる内向きに伸びる部分の先端部にある、
付記８に記載の装置。
（付記１０）  前記装置は、さらに、
前記クリップ受け部材は、前記第２の内面から伸びた内向きに伸びる部分と、前記内向きに伸びる部分の先端部にある肩とを含み、
前記結合クリップの部分は、前記肩に水平及び垂直にオーバーラップしている、
付記９に記載の装置。
（付記１１）  前記クリップ受け部材は、前記ベースから伸び、内向きに伸びる部分の先端部に肩を有し、
前記支持部は、前記支持部の各肩が前記クリップ受け部材の肩を通り過ぎ、各肩が互いにオーバーラップ及び接触し、または互いに近くにあることにより、前記クリップ受け部材にスナップされ、前記トップを前記ベースに固定する、
付記９に記載の装置。
（付記１２）  少なくとも１つの支持部は、前記肩の端から伸びる斜面を有し、前記斜面の少なくとも一部は前記肩と鋭角をなす、付記１１に記載の装置。
（付記１３）  セットトップボックスを設けるステップと、
分離部材を有する解放治具を設けるステップと、
前記分離部材をトップがベースに接続されたセットトップボックスのベースに位置決めして挿入する、前記トップの結合クリップの支持部が前記ベースのクリップ受け部材と係合して前記トップを前記ベースにロックするステップと、
前記解放治具にまっすぐな力をかけ、前記分離部材を前記ベースの開口中に入れるステップであって、各分離部材のロックラバーは前記ベースの開口に対して詰め込み、それにより前記ベースを前記解放治具に結合し、前記分離部材は、支持部に同時に接触し、前記結合クリップの支持部を水平方向に再度位置づけして、前記支持部を前記クリップ受け部材から解放するステップと、
前記トップを持ち上げ、前記ベースは前記解放治具上に留まるステップとを有する、
方法。
（付記１４）  プレートと、
前記プレート上の分離部材とを有し、
前記分離部材はそれぞれ、
前記プレート上のベース部と、
先端部のエジェクタピンヘッドと、前記ベース部と前記エジェクタピンヘッドとの間にある中間コア部と、
前記中間コア部を囲むロックラバーとを有する、
解放治具。
（付記１５）  前記ロックラバーは、前記プレートに対して垂直方向を向き、前記中間コア部を含む垂直スルーホールを有し、
前記ロックラバーは２つの対向する先細の変形可能なグリップ面を有する、
付記１４に記載の解放治具。